(57)【要約】【課題】ビューワユーザによるＣＡＤ端末の操作を必要とせずに、ＣＡＤデータからビューワデータへの変換処理を行い、ビューワ端末での画像表示を可能にすること。【解決手段】この発明にかかるＣＡＤデータからビューワデータへのデータ変換・表示システムは、ネットワーク１００に接続された、ビューワ端末１０１と、ＣＡＤ端末１１１と、サーバ１２０とにより構成される。特に、サーバ１２０は、サーバ１２０への入力手段であるサーバコンソール５０１と、サーバ１２０内のコンパイラ実行部であるデータ変換実行部５０２と、ＣＡＤ端末１１１で作成されたＣＡＤデータを格納するための記憶手段であるＣＡＤデータ格納部５０３と、ビューワ端末１０１へ送信するビューワデータを格納するための記憶手段であるビューワデータ格納部５０４と、を含み構成されている。【選択図】        図５
2006072569.tif 000002
【特許請求の範囲】
【請求項１】
各種情報を入力する入力手段と、
ＣＡＤデータを格納するＣＡＤデータ格納手段と、
前記ＣＡＤデータ格納手段に格納されているＣＡＤデータをビューワデータへ変換するデータ変換手段と、
前記データ変換手段により変換されたビューワデータを格納するビューワデータ格納手段と、を含み構成されたサーバと、
前記ビューワデータ格納手段に格納されているビューワデータを画面表示するビューワ端末と、がネットワークを介して接続され構成されていることを特徴とするＣＡＤデータからビューワデータへのデータ変換・表示システム。
【請求項２】
前記データ変換手段は、
前記入力手段から入力された情報を参照し、所定のＣＡＤデータの前記ＣＡＤデータ格納手段における格納領域と、前記ＣＡＤデータを変換して生成したビューワデータの前記ビューワデータ格納手段における格納領域を決定することを特徴とする請求項１に記載のＣＡＤデータからビューワデータへのデータ変換・表示システム。
【請求項３】
前記データ変換手段は、
前記入力手段から指定された、前記ＣＡＤデータ格納手段の領域に格納されているＣＡＤデータの最終更新日時と、
前記ＣＡＤデータに対応する前記ビューワデータ格納手段に格納されているビューワデータの最終更新日時とを比較し、
前記ＣＡＤデータの最終更新日時のほうが新しいと判断される場合に、前記ＣＡＤデータをビューワデータに変換することを特徴とする請求項１または２に記載のＣＡＤデータからビューワデータへのデータ変換・表示システム。
【請求項４】
前記データ変換手段は、
前記入力手段から指定された、前記ＣＡＤデータ格納手段の領域に格納されているＣＡＤデータに対応するビューワデータが前記ビューワデータ格納手段に格納されていない場合に、前記ＣＡＤデータをビューワデータに変換することを特徴とする請求項１〜３のいずれか一つに記載のＣＡＤデータからビューワデータへのデータ変換・表示システム。
【請求項５】
前記データ変換手段は、
前記入力手段から指定された日時に、前記ＣＡＤデータをビューワデータに変換することを特徴とする請求項１〜４のいずれか一つに記載のＣＡＤデータからビューワデータへのデータ変換・表示システム。
【請求項６】
ビューワデータの前記ビューワデータ格納手段における格納領域情報は、前記ビューワ端末から参照可能であることを特徴とする請求項１〜５のいずれか一つに記載のＣＡＤデータからビューワデータへのデータ変換・表示システム。
【請求項７】
変換処理を実行するＣＡＤデータを選択するＣＡＤデータ選択工程と、
前記ＣＡＤデータ選択工程で選択されたＣＡＤデータに対応するビューワデータの存否を検出するビューワデータ検出工程と、
前記ビューワデータ検出工程により、前記ＣＡＤデータ選択工程で選択されたＣＡＤデータに対応するビューワデータの存在が検出された場合に、当該ビューワデータの最終更新日時と前記ＣＡＤデータ選択工程で選択されたＣＡＤデータの最終更新日時とを比較する最終更新日時比較工程と、
前記最終更新日時比較工程で前記ＣＡＤデータの更新最終日時が前記ビューワデータの最終更新日時よりも新しいことが検出された場合に、前記ＣＡＤデータの変換処理を実行し、この変換処理後のデータを前記ビューワデータに上書きするデータ変換・上書き工程と、
前記データ変換・上書き工程で上書きされたビューワデータを画面表示するビューワ表示工程と、
を含むことを特徴とするＣＡＤデータからビューワデータへのデータ変換・表示方法。
【請求項８】
さらに、
前記ビューワデータ検出工程により、前記ＣＡＤデータ選択工程で選択されたＣＡＤデータに対応するビューワデータの存在が検出されなかった場合に、前記ＣＡＤデータ選択工程で選択されたＣＡＤデータを変換して生成するビューワデータの保存先を決定するビューワデータ保存先決定工程と、
前記ＣＡＤデータ選択工程で選択されたＣＡＤデータをビューワデータに変換し、このビューワデータを前記ビューワデータ保存先決定工程で決定された保存先に保存するデータ変換・保存工程と、
を含むことを特徴とする請求項７に記載のＣＡＤデータからビューワデータへのデータ変換・表示方法。
【請求項９】
さらに、
前記ＣＡＤデータ選択工程で選択されたＣＡＤデータの変換処理を実行する日時を決定するデータ変換日時決定工程を含むことを特徴とする請求項７または８に記載のＣＡＤデータからビューワデータへのデータ変換・表示方法。
【請求項１０】
請求項７〜９のいずれか一つに記載のＣＡＤデータからビューワデータへのデータ変換・表示方法をコンピュータに実行させることを特徴とするＣＡＤデータからビューワデータへのデータ変換・表示プログラム。
【発明の詳細な説明】
【技術分野】
【０００１】
この発明は、ＣＡＤデータからビューワデータへのデータ変換を行い、その変換されたデータを画像表示するＣＡＤデータからビューワデータへのデータ変換・表示システム、ＣＡＤデータからビューワデータへのデータ変換・表示方法、およびＣＡＤデータからビューワデータへのデータ変換・表示プログラムに関する。
【背景技術】
【０００２】
近年、電気、機械などの製品モデルを３次元ＣＡＤで作成することが一般的になってきている。企業の製造工程でＣＡＤを利用して製品モデルを作成すると、ＣＡＤを持たない生産技術やサービス部門では製品モデルの閲覧に物理的な制限があった。この問題を解決するために、ＣＡＤデータからビューワデータを生成し、そのビューワデータを閲覧する技術が提案されている（たとえば、特許文献１〜４を参照。）。
【０００３】
【特許文献１】特開２００２−２２２２１７号公報
【特許文献２】特開２００１−１４４９１号公報
【特許文献３】国際公開第９８／３３１４６号パンフレット
【特許文献４】国際公開第９８／３３１４９号パンフレット
【発明の開示】
【発明が解決しようとする課題】
【０００４】
しかしながら、上記各特許文献に開示されている従来技術では、ユーザがＣＡＤデータからビューワデータの生成を行わなければならない。この場合、従来ではどうしてもＣＡＤ端末が必要となるので、通常ＣＡＤ端末が設置されていない事業所などに勤務する、ＣＡＤを利用できないビューワユーザにはＣＡＤデータの閲覧が不可能であるという問題があった。
【０００５】
この発明は、上述した従来技術による問題点を解消するため、ビューワユーザによるＣＡＤ端末の操作を必要とせずに、ＣＡＤデータからビューワデータへの変換処理を行い、ビューワ端末での画像表示を可能にすることができるＣＡＤデータからビューワデータへのデータ変換・表示システム、ＣＡＤデータからビューワデータへのデータ変換・表示方法、およびＣＡＤデータからビューワデータへのデータ変換・表示プログラムを提供することを目的とする。
【課題を解決するための手段】
【０００６】
上述した課題を解決し、目的を達成するため、この発明の請求項１にかかるＣＡＤデータからビューワデータへのデータ変換・表示システムは、各種情報を入力する入力手段と、ＣＡＤデータを格納するＣＡＤデータ格納手段と、前記ＣＡＤデータ格納手段に格納されているＣＡＤデータをビューワデータへ変換するデータ変換手段と、前記データ変換手段により変換されたビューワデータを格納するビューワデータ格納手段と、を含み構成されたサーバと、前記ビューワデータ格納手段に格納されているビューワデータを画面表示するビューワ端末と、がネットワークを介して接続され構成されていることを特徴とする。
【０００７】
この請求項１に記載の発明によれば、ビューワユーザによるＣＡＤ端末の操作を必要とせずに、ＣＡＤデータからビューワデータへの変換処理を行い、ビューワ端末での画像表示が可能になる。
【０００８】
また、請求項２にかかるＣＡＤデータからビューワデータへのデータ変換・表示システムは、請求項１に記載の発明において、前記データ変換手段は、前記入力手段から入力された情報を参照し、所定のＣＡＤデータの前記ＣＡＤデータ格納手段における格納領域と、前記ＣＡＤデータを変換して生成したビューワデータの前記ビューワデータ格納手段における格納領域を決定することを特徴とする。
【０００９】
この請求項２に記載の発明によれば、ユーザがＣＡＤデータおよびビューワデータの格納領域（保存先）を決定できる。
【００１０】
また、請求項３にかかるＣＡＤデータからビューワデータへのデータ変換・表示システムは、請求項１または２に記載の発明において、前記データ変換手段は、前記入力手段から指定された、前記ＣＡＤデータ格納手段の領域に格納されているＣＡＤデータの最終更新日時と、前記ＣＡＤデータに対応する前記ビューワデータ格納手段に格納されているビューワデータの最終更新日時とを比較し、前記ＣＡＤデータの最終更新日時のほうが新しいと判断される場合に、前記ＣＡＤデータをビューワデータに変換することを特徴とする。
【００１１】
この請求項３に記載の発明によれば、最新ＣＡＤデータに基づいて変換されたビューワデータの閲覧が可能になる。
【００１２】
また、請求項４にかかるＣＡＤデータからビューワデータへのデータ変換・表示システムは、請求項１〜３のいずれか一つに記載の発明において、前記データ変換手段は、前記入力手段から指定された、前記ＣＡＤデータ格納手段の領域に格納されているＣＡＤデータに対応するビューワデータが前記ビューワデータ格納手段に格納されていない場合に、前記ＣＡＤデータをビューワデータに変換することを特徴とする。
【００１３】
この請求項４に記載の発明によれば、同一のビューワデータが生成されることを防止できる。
【００１４】
また、請求項５にかかるＣＡＤデータからビューワデータへのデータ変換・表示システムは、請求項１〜４のいずれか一つに記載の発明において、前記データ変換手段は、前記入力手段から指定された日時に、前記ＣＡＤデータをビューワデータに変換することを特徴とする。
【００１５】
この請求項５に記載の発明によれば、ユーザの希望する日時にデータの変換処理を実行することができる。
【００１６】
また、請求項６にかかるＣＡＤデータからビューワデータへのデータ変換・表示システムは、請求項１〜５のいずれか一つに記載の発明において、ビューワデータの前記ビューワデータ格納手段における格納領域情報は、前記ビューワ端末から参照可能であることを特徴とする。
【００１７】
この請求項６に記載の発明によれば、ビューワ端末で、サーバ内に格納されているビューワデータのレファレンス機能を実現できる。
【００１８】
また、請求項７にかかるＣＡＤデータからビューワデータへのデータ変換・表示方法は、変換処理を実行するＣＡＤデータを選択するＣＡＤデータ選択工程と、前記ＣＡＤデータ選択工程で選択されたＣＡＤデータに対応するビューワデータの存否を検出するビューワデータ検出工程と、前記ビューワデータ検出工程により前記ＣＡＤデータ選択工程で選択されたＣＡＤデータに対応するビューワデータの存在が検出された場合に、当該ビューワデータの最終更新日時と前記ＣＡＤデータ選択工程で選択されたＣＡＤデータの最終更新日時とを比較する最終更新日時比較工程と、前記最終更新日時比較工程で前記ＣＡＤデータの更新最終日時が前記ビューワデータの最終更新日時よりも新しいことが検出された場合に、前記ＣＡＤデータの変換処理を実行し、この変換処理後のデータを前記ビューワデータに上書きするデータ変換・上書き工程と、前記データ変換・上書き工程で上書きされたビューワデータを画面表示するビューワ表示工程と、を含むことを特徴とする。
【００１９】
この請求項７に記載の発明によれば、ビューワユーザによるＣＡＤ端末の操作を必要とせずに、ＣＡＤデータからビューワデータへの変換処理を行い、ビューワ端末での画像表示が可能になる。しかも、最新のＣＡＤデータに基づき変換されたビューワデータの閲覧が可能になる。
【００２０】
また、請求項８にかかるＣＡＤデータからビューワデータへのデータ変換・表示方法は、請求項７に記載の発明において、さらに、前記ビューワデータ検出工程により前記ＣＡＤデータ選択工程で選択されたＣＡＤデータに対応するビューワデータの存在が検出されなかった場合に、前記ＣＡＤデータ選択工程で選択されたＣＡＤデータを変換して生成するビューワデータの保存先を決定するビューワデータ保存先決定工程と、前記ＣＡＤデータ選択工程で選択されたＣＡＤデータをビューワデータに変換し、このビューワデータを前記ビューワデータ保存先決定工程で決定された保存先に保存するデータ変換・保存工程と、を含むことを特徴とする。
【００２１】
この請求項８に記載の発明によれば、同一のビューワデータが生成されることを防止できる。
【００２２】
また、請求項９にかかるＣＡＤデータからビューワデータへのデータ変換・表示方法は、請求項７または８に記載の発明において、さらに、前記ＣＡＤデータ選択工程で選択されたＣＡＤデータの変換処理を実行する日時を決定するデータ変換日時決定工程を含むことを特徴とする。
【００２３】
この請求項９に記載の発明によれば、ユーザの希望する日時にデータの変換処理を実行することが可能になる。
【００２４】
また、請求項１０にかかるＣＡＤデータからビューワデータへのデータ変換・表示プログラムは、請求項７〜９のいずれか一つに記載のＣＡＤデータからビューワデータへのデータ変換・表示方法をコンピュータに実行させることを特徴とする。
【００２５】
この請求項１０に記載の発明によれば、請求項７〜９のいずれか一つに記載のＣＡＤデータからビューワデータへのデータ変換・表示方法をコンピュータに実行させることができる。
【発明の効果】
【００２６】
以上説明したように、請求項１に記載の発明によれば、各種情報を入力する入力手段と、ＣＡＤデータを格納するＣＡＤデータ格納手段と、前記ＣＡＤデータ格納手段に格納されているＣＡＤデータをビューワデータへ変換するデータ変換手段と、前記データ変換手段により変換されたビューワデータを格納するビューワデータ格納手段と、を含み構成されたサーバと、前記ビューワデータ格納手段に格納されているビューワデータを画面表示するビューワ端末と、がネットワークを介して接続され構成されているので、ビューワユーザによるＣＡＤ端末の操作を必要とせずに、ＣＡＤデータからビューワデータへの変換処理を行い、ビューワ端末での画像表示が可能になるという効果を奏する。
【００２７】
また、請求項２に記載の発明によれば、請求項１に記載の発明において、前記データ変換手段が、前記入力手段から入力された情報を参照し、所定のＣＡＤデータの前記ＣＡＤデータ格納手段における格納領域と、前記ＣＡＤデータを変換して生成したビューワデータの前記ビューワデータ格納手段における格納領域を決定するので、ユーザがＣＡＤデータおよびビューワデータの格納領域（保存先）を決定できるという効果を奏する。
【００２８】
また、請求項３に記載の発明によれば、請求項１または２に記載の発明において、前記データ変換手段が、前記入力手段から指定された、前記ＣＡＤデータ格納手段の領域に格納されているＣＡＤデータの最終更新日時と、前記ＣＡＤデータに対応する前記ビューワデータ格納手段に格納されているビューワデータの最終更新日時とを比較し、前記ＣＡＤデータの最終更新日時のほうが新しいと判断される場合に、前記ＣＡＤデータをビューワデータに変換するので、最新のＣＡＤデータに基づき変換されたビューワデータの閲覧が可能になるという効果を奏する。
【００２９】
また、請求項４に記載の発明によれば、請求項１〜３のいずれか一つに記載の発明において、前記データ変換手段が、前記入力手段から指定された、前記ＣＡＤデータ格納手段の領域に格納されているＣＡＤデータに対応するビューワデータが前記ビューワデータ格納手段に格納されていない場合に、前記ＣＡＤデータをビューワデータに変換するので、同一のビューワデータが生成されることを防止できるという効果を奏する。
【００３０】
また、請求項５に記載の発明によれば、請求項１〜４のいずれか一つに記載の発明において、前記データ変換手段が、前記入力手段から指定された日時に、前記ＣＡＤデータをビューワデータに変換するので、ユーザが希望する日時にデータの変換処理を実行することができるという効果を奏する。
【００３１】
また、請求項６に記載の発明によれば、請求項１〜５のいずれか一つに記載の発明において、ビューワデータの前記ビューワデータ格納手段における格納領域情報が、前記ビューワ端末から参照可能であるので、ビューワ端末で、サーバ内に格納されているビューワデータのレファレンス機能を実現できるという効果を奏する。
【００３２】
また、請求項７に記載の発明によれば、変換処理を実行するＣＡＤデータを選択するＣＡＤデータ選択工程と、前記ＣＡＤデータ選択工程で選択されたＣＡＤデータに対応するビューワデータの存否を検出するビューワデータ検出工程と、前記ビューワデータ検出工程により前記ＣＡＤデータ選択工程で選択されたＣＡＤデータに対応するビューワデータの存在が検出された場合に、当該ビューワデータの最終更新日時と前記ＣＡＤデータ選択工程で選択されたＣＡＤデータの最終更新日時とを比較する最終更新日時比較工程と、前記最終更新日時比較工程で前記ＣＡＤデータの更新最終日時が前記ビューワデータの最終更新日時よりも新しいことが検出された場合に、前記ＣＡＤデータの変換処理を実行し、この変換処理後のデータを前記ビューワデータに上書きするデータ変換・上書き工程と、前記データ変換・上書き工程で上書きされたビューワデータを画面表示するビューワ表示工程と、を含むので、ビューワユーザによるＣＡＤ端末の操作を必要とせずに、ＣＡＤデータからビューワデータへの変換処理を行い、ビューワ端末での画像表示が可能になるという効果を奏する。加えて、最新のＣＡＤデータに基づき変換されたビューワデータの閲覧が可能になるという効果も奏する。
【００３３】
また、請求項８に記載の発明によれば、請求項７に記載の発明において、さらに、前記ビューワデータ検出工程により前記ＣＡＤデータ選択工程で選択されたＣＡＤデータに対応するビューワデータの存在が検出されなかった場合に、前記ＣＡＤデータ選択工程で選択されたＣＡＤデータを変換して生成するビューワデータの保存先を決定するビューワデータ保存先決定工程と、前記ＣＡＤデータ選択工程で選択されたＣＡＤデータをビューワデータに変換し、このビューワデータを前記ビューワデータ保存先決定工程で決定された保存先に保存するデータ変換・保存工程と、を含むので、同一のビューワデータが生成されることを防止できるという効果を奏する。
【００３４】
また、請求項９に記載の発明によれば、請求項７または８に記載の発明において、さらに、前記ＣＡＤデータ選択工程で選択されたＣＡＤデータの変換処理を実行する日時を決定するデータ変換日時決定工程を含むので、ユーザが希望する日時にデータの変換処理を実行することができるという効果を奏する。
【００３５】
また、請求項１０に記載の発明によれば、請求項７〜９のいずれか一つに記載のＣＡＤデータからビューワデータへのデータ変換・表示方法をコンピュータに実行させることによって、請求項７〜９のいずれか一つに記載のＣＡＤデータからビューワデータへのデータ変換・表示方法をコンピュータで実現することが可能なプログラムが得られるという効果を奏する。
【発明を実施するための最良の形態】
【００３６】
以下に添付図面を参照して、この発明にかかるＣＡＤデータからビューワデータへのデータ変換・表示システム、ＣＡＤデータからビューワデータへのデータ変換・表示方法、およびＣＡＤデータからビューワデータへのデータ変換・表示プログラムの好適な実施の形態を詳細に説明する。
【００３７】
（ＣＡＤデータからビューワデータへのデータ変換・表示システムの概略構成）
まず、この発明にかかるＣＡＤデータからビューワデータへのデータ変換・表示システムの概略構成について説明する。図１は、このＣＡＤデータからビューワデータへのデータ変換・表示システムの概略構成を示す図である。このＣＡＤデータからビューワデータへのデータ変換・表示システムは、ネットワーク１００を介して接続されている、複数のビューワ端末１０１，１０２，１０３と、複数のＣＡＤ端末１１１，１１２，１１３と、サーバ１２０とにより構成される。
【００３８】
なお、ビューワ端末１０１，１０２，１０３はすべて同様のものであるため、以下の説明ではビューワ端末１０１についてのみ触れることにする。また、ＣＡＤ端末１１１，１１２，１１３もすべて同様のものであるため、以下の説明ではＣＡＤ端末１１１についてのみ触れることにする。
【００３９】
（ビューワ端末のハードウェア構成）
次に、ビューワ端末のハードウェア構成を説明する。図２は、ビューワ端末１０１のハードウェア構成を示すブロック図である。このビューワ端末１０１は、ＣＰＵ２０１、入力装置２０２、記憶装置２０３、および表示装置２０４を含み構成される。そして、上記各構成部はバス２００によってそれぞれ接続されている。このビューワ端末１０１は、ビューワデータを表示するための装置である。
【００４０】
ＣＰＵ２０１は、ビューワ端末１０１全体の制御を司る。入力装置２０２は、キーボードやマウスなどから構成され、文字、数字、各種指示などの入力や、カーソルの移動や範囲選択、あるいはウインドウの移動やサイズの変更などを行う。記憶装置２０３は、ハードディスク装置などから構成され、ビューワソフトウェアが格納されている。表示装置２０４は、ＣＲＴ、ＴＦＴ液晶ディスプレイ、プラズマディスプレイなどから構成され、カーソル、アイコンあるいはツールボックスをはじめ、文書、画像、機能情報などのデータを表示する。
【００４１】
（ＣＡＤ端末のハードウェア構成）
次に、ＣＡＤ端末のハードウェア構成を説明する。図３は、ＣＡＤ端末１１１のハードウェア構成を示すブロック図である。このＣＡＤ端末１１１は、ＣＰＵ３０１、入力装置３０２、記憶装置３０３、および表示装置３０４を含み構成される。そして、上記各構成部はバス３００によってそれぞれ接続されている。このＣＡＤ端末１１１は、ＣＡＤデータを作成するための装置である。
【００４２】
ＣＰＵ３０１は、ＣＡＤ端末１１１全体の制御を司る。入力装置３０２は、キーボードやマウスなどから構成され、文字、数字、各種指示などの入力や、カーソルの移動や範囲選択、あるいはウインドウの移動やサイズの変更などを行う。記憶装置３０３は、ハードディスク装置などから構成され、ＣＡＤソフトウェアが格納されている。表示装置３０４は、ＣＲＴ、ＴＦＴ液晶ディスプレイ、プラズマディスプレイなどから構成され、カーソル、アイコンあるいはツールボックスをはじめ、文書、画像、機能情報などのデータを表示する。
【００４３】
（サーバのハードウェア構成）
次に、サーバのハードウェア構成を説明する。図４は、サーバ１２０のハードウェア構成を示すブロック図である。サーバ１２０は、ＣＰＵ４０１、入力装置４０２、記憶装置４０３、および表示装置４０４を含み構成される。そして、上記各構成部はバス４００によってそれぞれ接続されている。
【００４４】
ＣＰＵ４０１は、サーバ１２０全体の制御を司る。入力装置４０２は、キーボードやマウスなどから構成され、文字、数字、各種指示などの入力や、カーソルの移動や範囲選択、あるいはウインドウの移動やサイズの変更などを行う。記憶装置４０３は、ハードディスク装置などから構成され、ＣＡＤソフトウェア、コンパイラソフトウェア、スケジューラソフトウェア、更新判定ソフトウェア、ＣＡＤデータ記憶領域、ビューワデータ記憶領域が格納される。表示装置４０４は、ＣＲＴ、ＴＦＴ液晶ディスプレイ、プラズマディスプレイなどから構成され、カーソル、アイコンあるいはツールボックスをはじめ、文書、画像、機能情報などのデータを表示する。
【００４５】
（サーバの機能的構成）
続いて、サーバの機能的構成を説明する。図５は、サーバ１２０の機能的構成を示すブロック図である。サーバ１２０は、サーバコンソール５０１、データ変換実行部５０２、ＣＡＤデータ格納部５０３、およびビューワデータ格納部５０４を含み構成される。
【００４６】
サーバコンソール５０１は、サーバ１２０への入力手段であり、たとえば図４に示した入力装置４０２でその機能を実現できる。データ変換実行部５０２は、サーバ１２０内のコンパイラ実行部であり、たとえば図４に示したＣＰＵ４０１でその機能を実現できる。ＣＡＤデータ格納部５０３は、ＣＡＤ端末１１１で作成されたＣＡＤデータを格納するための記憶手段であり、たとえば図４に示した記憶装置４０３でその機能を実現できる。ビューワデータ格納部５０４は、ビューワ端末１０１へ送信するビューワデータを格納するための記憶手段であり、たとえば図４に示した記憶装置４０３でその機能を実現できる。
【００４７】
上記のように構成されたサーバ１２０において、サーバコンソール５０１は、ユーザの操作により、データ変換実行部５０２におけるデータ変換処理を実行する時刻を入力する。また、ユーザの操作により、ＣＡＤデータ格納部５０３におけるＣＡＤデータの保存先（アドレス領域）と、ビューワデータ格納部５０４におけるビューワデータの保存先（アドレス領域）を入力する。データ変換実行部５０２は、ＣＡＤデータ格納部５０３に格納されているＣＡＤデータの最終更新日時を監視する。また、ビューワデータ格納部５０４に格納されているビューワデータの最終更新日時を監視する。データ変換実行部５０２は、ＣＡＤデータ格納部５０３に格納されている、サーバコンソール５０１から入力されたアドレス領域にあるＣＡＤデータを取り出し、これをビューワデータに変換する。ここで変換されたビューワデータは、ファイル形式でビューワデータ格納部５０４における、サーバコンソール５０１から入力されたアドレス領域に格納される。ユーザは、ビューワデータ格納部５０４に格納されているビューワデータファイルをビューワ端末１０１で取り出し、そのファイルにあるビューワデータを起動されたビューワソフトウェアにより表示装置に表示させ、閲覧する。なお、ビューワデータ格納部５０４における各ビューワデータファイルが格納されているアドレス領域を示す情報は、ビューワ端末１０１から参照可能である。また、ＣＡＤ端末１１１で作成されたＣＡＤデータは、サーバ１２０のＣＡＤデータ格納部５０３にファイル形式で格納される。前述のように、ＣＡＤデータ格納部５０３におけるＣＡＤデータの保存先（アドレス領域）は、ユーザの操作により、サーバコンソール５０１から入力される。
【００４８】
（データの変換処理手順）
次に、この発明にかかるＣＡＤデータからビューワデータへのデータ変換・表示システムにおけるデータの変換処理手順について説明する。図６は、このＣＡＤデータからビューワデータへのデータ変換・表示システムにおけるデータの変換処理手順を示すフローチャートである。
【００４９】
まず、ＣＡＤ端末１１１でＣＡＤデータを作成し、ビューワ端末１０１の利用者が当該ＣＡＤデータに対応するビューワファイルを参照できるようにするために、ＣＡＤデータ格納部５０３の所定のアドレス領域にそのＣＡＤデータをファイル形式で格納する（ステップＳ６０１）。たとえば、ＣＡＤ端末１１１で作成されたＣＡＤデータを、サーバ１２０のＣＡＤデータ格納部５０３のＣ：￥ＣＡＤＤＡＴＡフォルダにＣＡＤデータＢＬＯＣＫ１．ｓｌｄｐｒｔとして格納する。このとき、ＣＡＤデータが格納されるＣＡＤデータ格納部５０３のアドレス領域は、ユーザの操作によりサーバコンソール５０１から入力された情報が反映される。
【００５０】
次に、データ変換実行部５０２が、変換処理を実行するＣＡＤデータファイルが格納されているＣＡＤデータ格納部５０３のアドレス領域を選択する（ステップＳ６０２）。このとき選択されるＣＡＤデータ格納部５０３のアドレス領域は、ユーザの操作によりサーバコンソール５０１から入力された情報が反映される。たとえば、データ変換実行部５０２が、ＣＡＤデータ格納部５０３のＣ：￥ＣＡＤＤＡＴＡフォルダを選択する。
【００５１】
次に、データ変換実行部５０２が、所定の日時にデータの変換処理を開始する（ステップＳ６０３）。このときの開始日時は、ユーザの操作により、あらかじめサーバコンソール５０１から入力されたものである。
【００５２】
データ変換実行部５０２は、ステップＳ６０２で選択されたＣＡＤデータ格納部５０３のアドレス領域に変換処理を行うＣＡＤデータファイルが存在するか否かを検出する（ステップＳ６０４）。変換処理を行うＣＡＤデータファイルが存在する場合は（ステップＳ６０４：Ｙｅｓ）、ステップＳ６０５へ進み、変換処理を行うＣＡＤデータファイルが存在しない場合は（ステップＳ６０４：Ｎｏ）、処理を終了する。
【００５３】
ステップＳ６０４において変換処理を行うＣＡＤデータファイルが存在する場合は（ステップＳ６０４：Ｙｅｓ）、当該ＣＡＤデータファイルに対応するビューワデータファイルがビューワデータ格納部５０４に存在するか否かを検出する（ステップＳ６０５）。ＣＡＤデータファイルに対応するビューワデータファイルが存在する場合は（ステップＳ６０５：Ｙｅｓ）、ステップＳ６０６へ進み、ＣＡＤデータファイルに対応するビューワデータファイルが存在しない場合は（ステップＳ６０５：Ｎｏ）、ステップＳ６０８へ進む。
【００５４】
ステップＳ６０５においてＣＡＤデータファイルに対応するビューワデータファイルが存在する場合は（ステップＳ６０５：Ｙｅｓ）、ＣＡＤデータファイルの最終更新日時がビューワデータファイルの最終更新日時より新しいか否かを検出する（ステップＳ６０６）。ＣＡＤデータファイルの最終更新日時がビューワデータファイルの最終更新日時より新しい場合は（ステップＳ６０６：Ｙｅｓ）、当該ＣＡＤデータの変換処理を実行し、生成されたビューワデータをステップＳ６０６で比較対象となったビューワデータファイルに上書きする（ステップＳ６０７）。一方、ＣＡＤデータファイルの最終更新日時がビューワデータファイルの最終更新日時より古い場合は（ステップＳ６０６：Ｎｏ）、処理を終了する。
【００５５】
ステップＳ６０５においてＣＡＤデータファイルに対応するビューワデータファイルが存在しない場合は（ステップＳ６０５：Ｎｏ）、新たに生成されるビューワデータの保存先（アドレス領域）を指定する（ステップＳ６０８）。このビューワデータの保存先は、ユーザの操作によりサーバコンソール５０１から指定されたビューワデータ格納部５０４のアドレス領域である。たとえば、ビューワデータファイルをビューワデータ格納部５０４のＣ：￥ＶＩＥＷＥＲＤＡＴＡフォルダに格納するように指定する。
【００５６】
続いて、ＣＡＤデータ（ステップＳ６０２において選択された）の変換処理を実行し、生成されたビューワデータを新規ファイルとしてステップＳ６０８で指定されたビューワデータ格納部５０４のアドレス領域に格納する（ステップＳ６０９）。
【００５７】
以上のような手順を経ることにより、ＣＡＤデータをビューワデータに変換し、変換後のビューワデータをビューワデータ格納部５０４の所定アドレス領域に格納することができる。そして、ビューワ端末１０１の利用者は、サーバ１２０のビューワデータ格納部５０４の所定アドレス領域に格納されているビューワデータファイルを取り出し、ビューワ端末１０１内のビューワソフトウェアを起動することによりＣＲＴなどの表示装置２０４に表示させ、閲覧することができる。たとえば、データ変換処理後に、ビューワ端末１０１を利用してビューワデータ格納部５０４のビューワデータファイルの保存先にアクセスし、ビューワソフトウェアを起動させてビューワデータＢＬＯＣＫ１．ｖｒａを表示装置２０４に表示させる。
【００５８】
以上説明したように、この発明にかかるＣＡＤデータからビューワデータへのデータ変換・表示システム、ＣＡＤデータからビューワデータへのデータ変換・表示方法によれば、ＣＡＤデータが自動的にビューワデータに変換されることから、ＣＡＤデータの閲覧に限りＣＡＤ端末がなくてもビューワ端末さえあれば目的を達成することができる。したがって、通常ＣＡＤ端末が設置されていない事業部においても、ビューワ端末さえあれば容易にＣＡＤデータで作成された製品モデルなどを閲覧することが可能になり、利便性が向上する。
【００５９】
なお、本実施の形態で説明したＣＡＤデータからビューワデータへのデータ変換・表示方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００６０】
以上のように、この発明にかかるＣＡＤデータからビューワデータへのデータ変換・表示システム、ＣＡＤデータからビューワデータへのデータ変換・表示方法、およびＣＡＤデータからビューワデータへのデータ変換・表示プログラムは、ＣＡＤ端末の利用が不可能な状況でＣＡＤデータの閲覧が必要な場合に有用であり、特に、ＣＡＤ端末が通常設置されていない事業部においてＣＡＤデータの閲覧が不可欠となる場合に適している。
【図面の簡単な説明】
【００６１】
【図１】この発明にかかるＣＡＤデータからビューワデータへのデータ変換・表示システムの概略構成を示す図である。
【図２】ビューワ端末のハードウェア構成を示すブロック図である。
【図３】ＣＡＤ端末のハードウェア構成を示すブロック図である。
【図４】サーバのハードウェア構成を示すブロック図である。
【図５】サーバの機能的構成を示すブロック図である。
【図６】この発明にかかるＣＡＤデータからビューワデータへのデータ変換・表示システムにおけるデータの変換処理手順を示すフローチャートである。
【符号の説明】
【００６２】
１００  ネットワーク
１０１，１０２，１０３  ビューワ端末
１１１，１１２，１１３  ＣＡＤ端末
１２０  サーバ
２００，３００，４００  バス
２０１，３０１，４０１  ＣＰＵ
２０２，３０２，４０２  入力装置
２０３，３０３，４０３  記憶装置
２０４，３０４，４０４  表示装置
５０１  サーバコンソール
５０２  データ変換実行部
５０３  ＣＡＤデータ格納部
５０４  ビューワデータ格納部
【図１】
2006072569.tif 000003
【図２】
2006072569.tif 000004
【図３】
2006072569.tif 000005
【図４】
2006072569.tif 000006
【図５】
2006072569.tif 000007
【図６】
2006072569.tif 000008